(57)【要約】      （修正有）【課題】簡単な操作でベース部材に対する口部材の着脱を行うことができ、ベース部材に取り付けた口部材が簡単に外れることがない飲料容器の栓体を提供する。【解決手段】容器本体に装着される口栓部材１０と、口栓部材１０に開閉可能に取り付けられた蓋部材２０とを備え、口栓部材１０は容器本体の口部に装着されるベース部材１１とベース部材１１に着脱自在に取り付けられる口部材１２と、ベース部材１１に対する口部材１２の着脱を行う着脱機構とを備えている。ベース部材１１は第１係止部１１ａ、第２係止部を有し、口部材１２は第１係止部１１ａ、第２係止部に係止されることでベース部材１１に対する口部材１２の上下方向への抜け止めを行う第１被係止部１２ａ、第２被係止部を有し、着脱機構は、ベース部材１１に形成された第３係止部１１ｃと、第３係止部１１ｃに係止される、口部材１２に設けられた保持部材１７とを有している。【選択図】図１１
0003206296.tif 000002
【実用新案登録請求の範囲】
【請求項１】
容器本体の口部に装着される口栓部材と、
前記口栓部材にヒンジを介して開閉可能に取り付けられた蓋部材とを備え、
前記口栓部材は、
前記容器本体の口部に装着されるベース部材と、
前記ベース部材に着脱自在に取り付けられる口部材と、
前記ベース部材に対する前記口部材の着脱を行う着脱機構とを備え、
前記ベース部材は、第１係止部と第２係止部とを有し、
前記口部材は、前記第１係止部に係止されることで前記ベース部材に対する前記口部材の上方向への抜け止めを行う第１被係止部と、前記第２係止部に係止されることで前記ベース部材に対する前記口部材の下方向への抜け止めを行う第２被係止部とを有し、
所定位置において前記ベース部材に嵌合させた前記口部材を保持位置まで正回転させることで、前記第１被係止部が前記第１係止部に係止されると共に、前記第２被係止部が前記第２係止部に係止されるようになっており、
前記着脱機構は、前記ベース部材に形成された第３係止部と、前記口部材を保持位置まで正回転させたときに前記第３係止部に係止され、前記口部材を前記ベース部材に対して回転不能な状態に保持する、前記保持位置において前記第３係止部に対する係止を解除可能に前記口部材に設けられた保持部材とを有しており、
前記保持状態において、前記第３係止部に対する前記保持部材の係止を解除すると、前記口部材が前記ベース部材に対して所定位置まで逆回転可能な状態となることを特徴とする飲料容器の栓体。
【請求項２】
前記保持部材は、上方向に付勢された状態で上下方向に移動可能に前記口部材に取り付けられており、
前記保持部材を押し下げることで、前記第３係止部に対する前記保持部材の係止が解除されるようになっている請求項１に記載の飲料容器の栓体。
【考案の詳細な説明】
【技術分野】
【０００１】
この考案は、携帯用魔法瓶や水筒等の携帯用飲料容器に採用されている、容器本体に装着される口栓部材にヒンジを介して蓋部材が開閉可能に取り付けられた、直飲みタイプの飲料容器の栓体に関する。
【背景技術】
【０００２】
この種の栓体としては、例えば、特開２０１５−９８３５２号公報に開示されたものがある。この栓体は、図１４及び図１５に示すように、容器本体６１に装着される口栓部材６２と、この口栓部材６２の後部にヒンジを介して片開き可能に取り付けられた蓋部材６５とを備えており、口栓部材６２は、容器本体６１の口部に螺着されるベース部材６３と、ベース部材６３に着脱自在に取り付けられる口部材６４とを有している。
【０００３】
前記ベース部材６３の内面側には、前後に第１の係止部６３ａ及び第２の係止部６３ｂがそれぞれ形成されており、口部材６４の外面側には、第１の係止部６３ａ及び第２の係止部６３ｂにそれぞれ係合することで口部材６４をベース部材６３に固定する第１の被係止部６４ａ及び第２の被係止部６４ｂが形成されている。
【０００４】
図１６（ａ）に実線で示すように、ベース部材６３の下方から口部材６４を内側へ挿し入れ、同図に二点鎖線で示すように、口部材６４を傾けるように回動させることで、第１の被係止部６４ａが第１の係止部６３ａの上側に、第２の被係止部６４ｂが第２の係止部６３ｂの下方に配置された状態とした後、口部材６４の傾きを無くす起回動操作を行うと、同図（ｂ）に示すように、第２の被係止部６４ｂが、第２の係止部６３ｂを下から上へ乗り越え、第１の被係止部６４ａ及び第２の被係止部６４ｂが第１の係止部６３ａ及び第２の係止部６３ｂにそれぞれ係合して口部材６４がベース部材６３に取り付けられる。
【０００５】
このように口部材６４がベース部材６３に取り付けられた状態で、口部材６４の第２の被係止部６４ｂ側を押し下げると、第２の被係止部６４ｂが第２の係止部６３ｂを上から下へ容易に乗り越えるので、第１の被係止部６４ａを第１の係止部６３ａから下方へ外すと、口部材６４をベース部材６３から取り外すことができる。
【先行技術文献】
【特許文献】
【０００６】
【特許文献１】特開２０１５−９８３５２号公報
【考案の概要】
【考案が解決しようとする課題】
【０００７】
ところで、上述したように、第１の被係止部６４ａ及び第２の被係止部６４ｂを第１の係止部６３ａ及び第２の係止部６３ｂにそれぞれ係合させることによって、口部材６４をベース部材６３に取り付けている従来の栓体は、ベース部材６３に対する口部材６４の着脱を容易に行うことができるという利点があるが、逆に、口部材６４の第２の被係止部６４ｂ側を押し下げるだけで口部材６４がベース部材６３から簡単に外れてしまうので、意図していないにも拘わらず、誤操作により口部材６４が外れてしまうおそれがある。
【０００８】
そこで、この考案の課題は、簡単な操作でベース部材に対する口部材の着脱を行うことができ、しかも、ベース部材に取り付けた口部材が意図せずに簡単に外れることがない飲料容器の栓体を提供することにある。
【課題を解決するための手段】
【０００９】
上記の課題を解決するため、請求項１に係る考案は、容器本体の口部に装着される口栓部材と、前記口栓部材にヒンジを介して開閉可能に取り付けられた蓋部材とを備え、前記口栓部材は、前記容器本体の口部に装着されるベース部材と、前記ベース部材に着脱自在に取り付けられる口部材と、前記ベース部材に対する前記口部材の着脱を行う着脱機構とを備え、前記ベース部材は、第１係止部と第２係止部とを有し、前記口部材は、前記第１係止部に係止されることで前記ベース部材に対する前記口部材の上方向への抜け止めを行う第１被係止部と、前記第２係止部に係止されることで前記ベース部材に対する前記口部材の下方向への抜け止めを行う第２被係止部とを有し、所定位置において前記ベース部材に嵌合させた前記口部材を保持位置まで正回転させることで、前記第１被係止部が前記第１係止部に係止されると共に、前記第２被係止部が前記第２係止部に係止されるようになっており、前記着脱機構は、前記ベース部材に形成された第３係止部と、前記口部材を保持位置まで正回転させたときに前記第３係止部に係止され、前記口部材を前記ベース部材に対して回転不能な状態に保持する、前記保持位置において前記第３係止部に対する係止を解除可能に前記口部材に設けられた保持部材とを有しており、前記保持状態において、前記第３係止部に対する前記保持部材の係止を解除すると、前記口部材が前記ベース部材に対して所定位置まで逆回転可能な状態となることを特徴とする飲料容器の栓体を提供するものである。
【００１０】
また、請求項２に係る考案は、請求項１に係る考案の飲料容器の栓体において、前記保持部材は、上方向に付勢された状態で上下方向に移動可能に前記口部材に取り付けられており、前記保持部材を押し下げることで、前記第３係止部に対する前記保持部材の係止が解除されるようになっていることを特徴としている。
【考案の効果】
【００１１】
以上のように、請求項１に係る考案の飲料容器の栓体は、所定位置においてベース部材に嵌合させた口部材を保持位置まで正回転させることで、口部材に形成された第１被係止部及び第２被係止部が、ベース部材に形成された第１係止部及び第２係止部にそれぞれ係止されると共に、口部材に形成された保持部材がベース部材に形成された第３係止部に係止され、これによって、ベース部材に対する口部材の上下方向への抜け止めを行うと共に口部材をベース部材に対して回転不能な状態に保持するようになっており、保持状態において、第３係止部に対する保持部材の係止を解除すると、口部材がベース部材に対して所定位置まで逆回転可能な状態となるので、所定位置においてベース部材に口部材を嵌合させ、口部材を保持位置まで正回転させるという簡単な操作で、口部材をベース部材に装着することができ、この装着状態において、保持部材の第３係止部に対する係止を解除し、口部材を所定位置まで逆回転させるという簡単な操作で、口部材をベース部材から取り外すことができる。従って、この飲料容器の栓体では、ベース部材に対して口部材を簡単に着脱することができる。
【００１２】
しかも、ベース部材に装着された口部材の所定位置を押し下げるだけで口部材がベース部材から簡単に外れてしまう従来の栓体とは異なり、保持部材の第３係止部に対する係止を解除した後、口部材を所定位置まで逆回転させるという２段階動作を行わなければ、ベース部材から口部材を取り外すことができないので、意図していないにも拘わらず、誤操作により口部材が外れてしまうというおそれもない。
【００１３】
特に、請求項２に係る考案の飲料容器の栓体は、保持部材を押し下げることで、第３係止部に対する保持部材の係止が解除されるようになっているので、第３係止部に対する保持部材の係止解除操作に煩わしさを感じることもない。
【図面の簡単な説明】
【００１４】
【図１】この考案に係る栓体の一実施形態が容器本体に装着された飲料容器を示す正面図である。
【図２】図１のＸ−Ｘ線に沿った部分断面図である。
【図３】同上の栓体の蓋部材を開いた状態を示す平面図である。
【図４】同上の栓体の蓋部材を開いた状態を示す左側面図である。
【図５】同上の栓体の蓋部材を開いた状態を示す縦断面図である。
【図６】（ａ）は同上の栓体の口栓部材を構成しているベース部材を示す平面図、（ｂ）、（ｃ）は同上の栓体から口部材を取り外した状態を示す縦断面図である。
【図７】（ａ）が同上の口部材から保持部材を取り外した状態を示す平面図、（ｂ）は同上の口部材を示す左側面図、（ｃ）は同上の口部材を示す右側面図である。
【図８】（ａ）は同上の保持部材を示す斜視図、（ｂ）は同上の保持部材を示す分解斜視図である。
【図９】（ａ）〜（ｃ）は同上のベース部材に対する口部材の装着方法を説明するための説明図である。
【図１０】同上の栓体におけるベース部材の第２係止部と口部材の第２被係止部との係合状態を示す縦断面図である。
【図１１】操作ボタンを押し下げて第３係止部に対する操作ボタンの第３被係止部の嵌合を解除した状態を示す断面図である。
【図１２】同上の栓体における開閉手段による蓋部材の位置決めを解除した状態を示す縦断面図である。
【図１３】（ａ）は同上の栓体を構成している開閉操作部材とロック操作部材との関係（ロック解除状態）を示す部分横断面図、（ｂ）は同上の栓体を構成している開閉操作部材とロック操作部材との関係（ロック状態）を示す部分横断面図である。
【図１４】従来の栓体における蓋部材を開いた状態を示す斜視図である。
【図１５】従来の栓体が容器本体に装着された飲料容器を示す部分断面図である。
【図１６】（ａ）、（ｂ）は、従来の栓体における口部材の装着方法を説明するための説明図である。
【考案を実施するための形態】
【００１５】
以下、実施の形態について図面を参照して説明する。図１は、この考案に係る栓体１が容器本体ＣＢに装着された飲料容器を示している。
【００１６】
前記栓体１は、図１〜図５に示すように、容器本体ＣＢに装着される口栓部材１０と、この口栓部材１０にヒンジ１ａを介して開閉可能に取り付けられた蓋部材２０と、この蓋部材２０を開閉させる開閉機構３０と、蓋部材２０を閉状態にロックするロック機構４０とを備えており、蓋部材２０はヒンジ１ａ部分に取り付けられた一対のねじりバネによって、常時、開方向に付勢されている。
【００１７】
前記口栓部材１０は、同図に示すように、容器本体ＣＢの小径の口部に螺合される円筒状のベース部材１１と、このベース部材１１に着脱自在に嵌着された、上下に区画する隔壁１３を有する筒状の口部材１２とを備えており、隔壁１３には、その前面側に容器本体ＣＢ内の液体飲料を注出するための注出孔１４が形成されている。
【００１８】
前記口栓部材１０を容器本体ＣＢの口部に装着した状態では、口部材１２の下半部が、容器本体ＣＢの口部内に入り込んでおり、口部材１２の下部外周面に形成されたフランジ部１５と、容器本体ＣＢの口部の基端部との間にリング状のパッキン１６を挟み込むことによって、口栓部材１０の口部材１２と容器本体ＣＢとがシールされるようになっている。
【００１９】
前記ベース部材１１は、図６（ａ）〜（ｃ）に示すように、上端開口部の周縁における前部領域及び後部領域から内側に張り出す円弧状の突条からなる第１係止部１１ａと、上端開口部の周縁における両側部領域から内側に張り出す円弧状の突条からなる第２係止部１１ｂと、着脱機構を構成する、後部側の第１係止部１１ａの中間部を所定幅で切り欠くことによって形成された第３係止部１１ｃとを有しており、第１係止部１１ａは同一高さ位置に形成されている。
【００２０】
図６（ｂ）、（ｃ）に示すように、前記第２係止部１１ｂは第１係止部１１ａよりも下側に位置しており、正面から見て左側の第２係止部１１ｂは、その上面が後方に向かって前上がりに傾斜した状態で後部側の第１係止部１１ａにおける左側の前端部下面に接続されていると共に（同図（ｃ）参照）、正面から見て右側の第２係止部１１ｂは、その上面が前方に向かって前上がりに傾斜した状態で前部側の第１係止部１１ａにおける右側の後端部下面に接続されている（同図（ｂ）参照）。
【００２１】
前記口部材１２は、図３、図５及び図７（ａ）〜（ｃ）に示すように、ベース部材１１に設けられた第１係止部１１ａに係止されることでベース部材１１に対する口部材１２の上方向への抜け止めを行う、正面から見て口部材１２の外周面における前部から左側部に至る領域及び後部から右側部に至る領域に形成された第１被係止部１２ａと、ベース部材１１に設けられた第２係止部１１ｂに係止されることでベース部材１１に対する口部材１２の下方向への抜け止めを行う、正面から見て口部材１２の外周面における両側部にそれぞれ形成された第２被係止部１２ｂと、ベース部材１１に設けられた第３係止部１１ｃに係止されることでベース部材１１に対する口部材１２の回転を阻止する、着脱機構の構成要素である保持部材１７とを有しており、第１被係止部１２ａ及び第２被係止部１２ｂは、口部材１２の外周面から外側に張り出す円弧状の突条によって形成されている。
【００２２】
図７（ｂ）、（ｃ）に示すように、前記第１被係止部１２ａは、一端から他端にわたって同一高さ位置に形成されており、正面から見て口部材１２の左側に形成された第２被係止部１２ｂは、正面から見て口部材１２の前部から左側部に至る領域に形成された第１被係止部１２ａの後端部から後方に向かって第２係止部１１ｂの上面の傾斜角度と同一の傾斜角度で前上がりに形成されていると共に（同図（ｂ）参照）、正面から見て口部材１２の右側に形成された第２被係止部１２ｂは、正面から見て口部材１２の後部から右側部に至る領域に形成された第１被係止部１２ａの前端部から前方に向かって第２係止部１１ｂの上面の傾斜角度と同一の傾斜角度で前上がりに形成されている（同図（ｃ）参照）。
【００２３】
前記保持部材１７は、図３、図５及び図８（ａ）、（ｂ）に示すように、口部材１２の後部に形成された嵌合凹部１２ｃに抜止めされた状態で押し下げ可能に嵌入された操作ボタン１８と、この操作ボタン１８を上方側に付勢する弾性部材１９とから構成されており、操作ボタン１８は、ベース部材１１に設けられた第３係止部１１ｃに嵌合可能に後方側に張り出した第３被係止部１８ａを有している。
【００２４】
前記弾性部材１９は、シリコンゴムによって形成された有底筒状であり、操作ボタン１８の下端から下方側に突出して嵌合凹部１２ｃの底面に当接するように操作ボタン１８に取り付けられている。
【００２５】
以上のように構成された口部材１２をベース部材１１に取り付けるには、図９（ａ）に示すように、まず、口部材１２を正面から見てその外周面に第１被係止部１２ａ及び第２被係止部１２が形成されていない左後方部分及び右前方部分が、ベース部材１１の左右の第２係止部１１ｂにそれぞれ対応するように、保持部材１７がベース部材１１の第３係止部１１ｃに対応する位置（以下、保持位置という。）から反時計回りに３０度程度回転させた所定位置で口部材１２をベース部材１１に下方側から嵌合させると、口部材１２の第１被係止部１２ａ及び第２被係止部１２ｂの双方がベース部材１１の第１係止部１１ａの下面に当接した状態となる。このとき、保持部材１７の操作ボタン１８は、第３被係止部１８ａがベース部材１１の第１係止部１１ａの下面に当接し、下方側に押し下げられた状態となっている。
【００２６】
続いて、口部材１２を時計回りに回転させる（以下、時計回りの回転を正回転という。）と、同図（ｂ）に示すように、口部材１２の第２被係止部１２ｂがベース部材１１の第２係止部１１ｂの上側を移動していき、正面から見て左側の第２被係止部１２ｂの後端部が後部側の第１係止部１１ａにおける左側の前端面に、正面から見て右側の第２被係止部１２ｂの前端部が前部側の第１係止部１１ａにおける右側の後端面にそれぞれ当接し、保持位置で口部材１２の回転が停止する（同図（ｃ）参照）。
【００２７】
このようにして、口部材１２を保持位置まで回転させた状態では、図５及び図１０に示すように、ベース部材１１の第１係止部１１ａの下側に口部材１２の第１被係止部１２ａが、ベース部材１１の第２係止部１１ｂの上側に口部材１２の第２被係止部１２がそれぞれ位置しており、これによって、ベース部材１１に嵌合させた口部材１２が上下方向に位置決めされると共に、操作ボタン１８の第３被係止部１８ａがベース部材１１の第３係止部１１ｃに対応する位置に移動しており、弾性部材１９の付勢力によって押し上げられた操作ボタン１８の第３被係止部１８ａがベース部材１１の第３係止部１１ｃに嵌合することで係止され、口部材１２が回転不能な状態となるので、口部材１２がベース部材１１に取り付けられた状態に保持される。
【００２８】
逆に、口部材１２をベース部材１１から取り外す場合は、図１１に示すように、操作ボタン１８を押し下げることによって、ベース部材１１の第３係止部１１ｃに対する操作ボタン１８の第３被係止部１８ａの嵌合を解除し、口部材１２を所定位置まで逆回転させると、口部材１２の第１被係止部１２ａ及び第２被係止部１２ｂの双方がベース部材１１の第１係止部１１ａの下側に位置した状態となり、ベース部材１１に対する口部材１２の下方側への抜止め状態が解除されるので、口部材１２をベース部材１１の下方側に引き抜けばよい。
【００２９】
前記蓋部材２０は、図１〜図５に示すように、円形状の天板の周縁部に周壁が連設された蓋本体２１と、この蓋本体２１の天板の内面に固着された、蓋部材２０を閉じたときに口栓部材１０の口部材１２内に入り込む閉塞部２２と、この閉塞部２２に嵌着されるパッキン２３とを備えており、蓋部材２０を閉じたときに、パッキン２３が嵌着された閉塞部２２によって、口部材１２の隔壁１３に形成された注出孔１４が密閉されるようになっている。
【００３０】
前記開閉手段３０は、図１〜図３及び図５に示すように、蓋部材２０における蓋本体２１の周壁の前面側に突出する正面視門型形状の区画壁２１ａによって下部を除く三方が囲われた蓋側開閉操作領域の下端部に形成された係止爪３１と、蓋本体２１の区画壁２１ａに対向するように、口栓部材１０におけるベース部材１１の前面側に突出する正面Ｕ字状の区画壁１１ｄによって上部を除く三方が囲われたベース側開閉操作領域内で、上下が前後方向に揺動するように区画壁１１ｄに軸支された、係止爪３１に係合可能な係合凹部３３を上部に有する開閉操作部材３２と、ベース側開閉操作領域と開閉操作部材３２との間に配設された、開閉操作部材３２における揺動軸３４よりも下側部分を外側（前方側）に付勢するコイルバネ３５とを備えており、係止爪３１は、蓋本体２１の蓋側開閉操作領域内の左半部に形成されていると共に、蓋側開閉操作領域内の右半部は前後方向に開放されている。
【００３１】
前記係合凹部３３は、蓋本体２１の蓋側開閉操作領域内の左半部に形成された係止爪３１に対応するように、開閉操作部材３２の左半部に形成されており、その係合凹部３３が形成された開閉操作部材３２の上部がベース部材１１のベース側開閉操作領域の上方側に張り出している。
【００３２】
従って、開いた状態の蓋部材２０を閉じると、口栓部材１０に取り付けた開閉操作部材３２の係合凹部３３よりも上端側が、蓋部材２０に形成された係止爪３１に接触することによって、開閉操作部材３２の上端部が外側に押し広げられながら係止爪３１を乗り越えて係合凹部３３が係止爪３１に係合し、これによって蓋部材２０が全閉位置に位置決めされるようになっている（図２参照）。
【００３３】
また、蓋部材２０が全閉位置に位置決めされた状態で、図１２に示すように、コイルバネ３５の付勢力に抗して開閉操作部材３２の下部を押し込むと、係止爪３１に対する係合凹部３３の係合が解除されるので、ねじりバネの付勢力によって、蓋部材２０が全開位置まで開くようになっている（図５参照）。
【００３４】
前記ロック機構４０は、図１及び図３に示すように、蓋本体２１における蓋側開閉操作領域の右外側に形成された、区画壁２１ａと区画壁２１ｂとによって囲まれたロック操作領域内に、ロック位置とロック解除位置との間で周方向にスライド可能に支持されたロック操作部材４１と、ロック位置にスライドさせたロック操作部材４１の左端部が係合可能な、開閉操作部材３２における上部の右半部に形成された係合部４５とを備えており、蓋部材２０を全閉にした状態、即ち、開閉操作部材３２の係合凹部３３が係止爪３１に係合した状態で、ロック操作部材４１をロック位置にスライドさせると、ロック操作部材４１の左端部が蓋本体２１における蓋側開閉操作領域内の右半部に進入して、開閉操作部材３２の係合部４５に係合することで、開閉操作部材３２の押込操作を阻止するようになっている（図１３（ａ）、（ｂ）参照）。
【００３５】
以上のように、この飲料容器の栓体１は、所定位置においてベース部材１１に口部材１２を嵌合させ、口部材１２を保持位置まで正回転させるという簡単な操作で、口部材１２をベース部材１１に装着することができ、この装着状態において、操作ボタン１８の第３係止部１１ｃに対する係止を解除し、口部材１２を所定位置まで逆回転させるという簡単な操作で、口部材１２をベース部材１１から取り外すことができるので、ベース部材１１に対して口部材１２を簡単に着脱することができる。
【００３６】
しかも、ベース部材１１に装着された口部材１２の所定位置を押し下げるだけで口部材がベース部材から簡単に外れてしまう従来の栓体とは異なり、操作ボタン１８を押し下げて操作ボタン１８の第３係止部１１ｃに対する係止を解除した後、口部材１２を所定位置まで逆回転させるという２段階動作を行わなければ、ベース部材１１から口部材１２を取り外すことができないので、意図していないにも拘わらず、誤操作により口部材１２が外れてしまうというおそれもない。
【００３７】
特に、この飲料容器の栓体１は、操作ボタン１８を押し下げることで、第３係止部１１ｃに対する操作ボタン１８の係止が解除されるようになっているので、第３係止部１１ｃに対する操作ボタン１８の係止解除操作に煩わしさを感じることもない。
【産業上の利用可能性】
【００３８】
本考案は、携帯用魔法瓶や水筒等の携帯用飲料容器等の飲料容器の栓体として利用することができる。
【符号の説明】
【００３９】
１  栓体
１ａ  ヒンジ
１０  口栓部材
１１  ベース部材
１１ａ  第１係止部
１１ｂ  第２係止部
１１ｃ  第３係止部
１１ｄ  区画壁
１２  口部材
１２ａ  第１被係止部
１２ｂ  第２被係止部
１２ｃ  嵌合凹部
１３  隔壁
１４  注出孔
１５  フランジ部
１６  パッキン
１７  保持部材
１８  操作ボタン
１８ａ  第３被係止部
１９  弾性部材
２０  蓋部材
２１  蓋本体
２１ａ、２１ｂ  区画壁
２２  閉塞部
２３  パッキン
３０  開閉機構
３１  係止爪
３２  開閉操作部材
３３  係合凹部
３４  揺動軸
３５  コイルバネ
４０  ロック機構
４１  ロック操作部材
ＣＢ  容器本体
【図１】
0003206296.tif 000003
【図２】
0003206296.tif 000004
【図３】
0003206296.tif 000005
【図４】
0003206296.tif 000006
【図５】
0003206296.tif 000007
【図６】
0003206296.tif 000008
【図７】
0003206296.tif 000009
【図８】
0003206296.tif 000010
【図９】
0003206296.tif 000011
【図１０】
0003206296.tif 000012
【図１１】
0003206296.tif 000013
【図１２】
0003206296.tif 000014
【図１３】
0003206296.tif 000015
【図１４】
0003206296.tif 000016
【図１５】
0003206296.tif 000017
【図１６】
0003206296.tif 000018